(57)【要約】【課題】迅速かつ便利に設置でき、分配接続後各パイプの圧力が均一になり、破裂が発生しない、分配コネクタの提供。【解決手段】液圧・気圧装置の主管路上に組み込まれる接続管、開孔を備えたキャップ及び分配体から構成され、前記接続管は二端に螺合端及び接続端がそれぞれ設けられ、螺合端上に当接部が形成され、前記キャップ上に前記螺合端に対応する相対螺合部が設けられ、前記接続管とキャップを相互に組み込み内部に収容空間が形成され、キャップ中央部に開孔が開設され、その端縁部に前記当接部に対応する相対当接部が形成され、前記分配体は前記収容空間内に設置され、分配体中央部に複数の分配管が配置された分配接続孔が形成され、前記複数本の分配管が前記開孔から穿出され、複数の設備に接続して使用することができ、前記接続管とキャップを螺合することで前記分配体がしっかりと固定される。【選択図】図７
0003126773.tif 000002
【実用新案登録請求の範囲】
【請求項１】
液圧・気圧装置に設置され、その発生する動力を複数の設備に分配して使用させる分配コネクタであって、接続管と、開孔を備えたキャップと、分配体を含んで成り、前記接続管は前記液圧・気圧装置の主管路上に組み込まれ、前記接続管の二端に螺合端及び接続端がそれぞれ設けられ、且つ、前記螺合端に当接部が形成され、前記キャップは前記接続管の前記螺合端に対応する相対螺合部が設けられ、前記キャップと接続管を組み立てると内部に収容空間が形成され、且つ、前記開孔の端縁部に前記当接部に対応する相対当接部が設けられ、前記分配体は前記収容空間内に設置され、前記分配体中央部に複数の分配管が設置される複数の分配接続孔が設けられ、前記接続管と前記キャップを対応させて螺合した後、前記複数の分配管が前記開孔から穿出され、前記当接部及び前記開孔の端縁部により前記分配体が緊密に固定され、気密状態が得られる、液圧・気圧装置の分配コネクタ。
【請求項２】
前記接続端がねじ式である、請求項１に記載の液圧・気圧装置の分配コネクタ。
【請求項３】
前記接続端がクイックコネクタ形式である、請求項１に記載の液圧・気圧装置の分配コネクタ。   
【請求項４】
前記接続端が挿入接続式である、請求項１に記載の液圧・気圧装置の分配コネクタ。
【請求項５】
前記当接部が逆錐状を呈する、請求項１に記載の液圧・気圧装置の分配コネクタ。  
【請求項６】
前記相対当接部が逆錐状を呈する、請求項１に記載の液圧・気圧装置の分配コネクタ。
【請求項７】
前記分配体の二端がそれぞれ錐状を呈し、前記当接部及び前記相対当接部間に密着させることができる、請求項１に記載の液圧・気圧装置の分配コネクタ。        
【考案の詳細な説明】
【技術分野】
【０００１】
本考案は液圧・気圧装置の分配コネクタに関し、耐酸・耐アルカリ高圧熱交換器に用いられ、その液圧・気圧装置が発生する動力を複数の設備に分配して使用させるものであり、本考案は特に構造が簡単な液圧・気圧装置の分配コネクタであって、迅速かつ便利に設置でき、分配管の圧力を平均的にすることができる、液圧・気圧装置の分配コネクタに関する。
【背景技術】
【０００２】
現在、一般的な工業機械は仕事率の伝達を行うとき、流体エネルギー（さらに液圧と気圧の二種類に分けることができる）、機械エネルギー及び電気エネルギー等を介して行うが、液圧・気圧は主にエネルギーの伝達と動エネルギーの緩衝に用いることができ、液圧、油圧はそれぞれ異なる物理的特性を備えているため、その運用範囲は非常に広範である。
【０００３】
一般的に、液圧装置は液圧油の伝達動力を利用したものであり、油の体積は圧縮不可能で、その動力伝達速度は比較的緩慢であるが、全体を見ると使用時の安全性が高く、且つ、エネルギーの伝達も安定しているが、設備の設置コストが比較的高い。気圧装置は最もよく見受けられる動力伝達装置であり、その体積が圧縮可能であるため、気体の進行動力を利用した伝達時に、気体が体積の圧縮を経た後圧力が増大し、迅速に伝達することができるが、相対して使用時の安全性がやや劣り、設備の設置コストは比較的低くなっている。
【０００４】
液圧・気圧装置の使用時には、同一の液圧・気圧装置から複数の設備に分配して使用することができ、図１の従来のチューブコネクタの立体分解図に示すように、チューブコネクタ１０は内部にパッキンリング１０１１を設けた管体１０１，と一内側の適切な位置に若干の噛合せ部１０２１が設けられ、スリットが入った状態の挿入部材１０２から成り、前記挿入部材１０２は管体１０１の挿入孔１０１２内に挿入して固定され、設備に接続されたパイプ２０を管体１０１と挿入部材１０２間に設置することができ、前記管体１０１上端部の適切な箇所に少なくとも２つの陥没孔１０１３が設けられ、前記挿入部材１０２のフランジ１０２２上に前記陥没孔１０１３に相対する複数の突起１０２３が設置され、前記パイプ２０を挿入部材１０２内に穿入し、フランジ１０２２の突起１０２３を管体１０１上端部の適切な位置に当接させると、挿入部材１０２の噛合せ部１０２１が緊密にパイプ２０上に噛み合わされ、最後に挿入部材１０２のフランジ１０２２を回転させて突起１０２３を陥没孔１０１３内に嵌入させ、パイプ２０を接続することができるが、実際の運用時には、通常単一のチューブコネクタ１０が使用され、チューブコネクタ１０を通過する圧力が大きすぎるために、パイプ２０の緩みが生じる。
【０００５】
また、図２に従来の液圧・気圧装置に複数の分配接続を施した状態の立体図を示す。この図に示すように、液圧・気圧装置３０の圧力出口端３０１に直管状の接続管３０２が接続され、この接続管上に複数のチューブコネクタ１０が設置され、且つ、各チューブコネクタ１０に一本の管体２０が組み込まれ、複数の設備に接続されて使用される。しかし、接続管３０２を組みこむとき、チューブコネクタ１０の位置を設備が配置された位置に合わせる必要があるため施工が困難となり、外部に露出された接続管３０２も美観に欠け、圧力が出力されるとき、接続管３０２の入口端の圧力と最末端の圧力には差異が生じるため、改良が求められている。
【考案の開示】
【考案が解決しようとする課題】
【０００６】
上述の必要性に鑑みて、本考案の考案者は関連事業における長年の経験に基づき研究を重ね、ついに斬新な液圧・気圧装置の分配コネクタを開発した。本考案の主な目的は、迅速かつ便利に設置でき、分配接続後各パイプの圧力が均一になり、破裂が発生しない、分配コネクタを提供することにある。      
【課題を解決するための手段】
【０００７】
上述の目的を達するため、本考案の液圧・気圧装置の分配コネクタは、液圧・気圧装置に応用され、その発生する動力を複数の設備に分配して使用させたり、熱伝導または冷却伝導の伝導面積を増加することができるものであり、接続管、開孔を備えたキャップ及び分配体から構成され、前記接続管は液圧・気圧装置の主管路上に組み込まれ、接続管の二端に螺合端及び接続端がそれぞれ設けられ、且つ、螺合端上に当接部が形成され、前記キャップは前記接続管の螺合端に対応する相対螺合部を備え、前記接続管と相互に組み込まれて内部に収容空間が形成され、キャップ中央部に開孔が開設され、開孔の端縁部に前記当接部に対応する相対当接部が形成され、前記分配体は接続管とキャップが形成する収容空間内に設置され、分配体中央部に複数の分配管を配置するための分配接続孔が形成され、前記接続管とキャップを螺合した後、前記複数の分配管が開孔から穿出され、複数の設備に接続して使用することができ、前記接続管とキャップを螺合するとき、当接部及び開孔端縁部のネジ山が螺合されて分配体がしっかりと固定されるため、螺合で気密状態にするという目的が達せられる。        
【考案を実施するための最良の形態】
【０００８】
図３に本考案の使用時の状態の立体斜視図を示す。この図に示すように、本考案の分配コネクタ４０は液圧・気圧装置５０において応用され、この液圧・気圧装置５０が発生する動力を複数の設備６０に分配して使用したり、集中させて単一の設備で使用したりすることを可能にし、その熱伝導、冷却伝導の効果を増加することができる。分配コネクタ４０は、接続管４０１、開孔を備えたキャップ４０２及び分配体４０３から公正され、接続管４０１は二端に螺合端４０１１及び接続端４０１２がそれぞれ設けられ、接続管４０１の接続端４０１２は液圧・気圧装置５０の主管路上に接続され、前記分配体４０３をキャップ４０２に組み込んだ後、さらにキャップ４０２上に形成された前記接続管４０１の螺合端４０１１に対応する相対螺合部４０２１により、接続管４０１とキャップ４０２を螺合して一体を成す。前記キャップ４０２の中央部には開孔４０２２が開設され、接続管４０１とキャップ４０２を組み立てた後、分配体４０３を収容する収容空間が形成される。前記分配体４０３上には複数本の分配接続に用いられる分配管４０３２が接続される。このため、接続管４０１とキャップ４０２を対応させて螺合すると、複数本の分配管４０３２が開孔４０２２から穿出され、且つ、接続管４０１とキャップ４０２の螺合をきつくするに連れて分配体４０３を固定する力が大きくなり、完全な気密状態が得られ、液圧・気圧装置５０が送り出す液圧・気圧の動力が、本考案の分配コネクタ４０を通過した後、迅速かつ平均的に各分配管４０３２内に分配され、各設備６０に出力されて使用することができる。各分配管４０３２の圧力がすべて平均的であるため、圧力過大による管の破裂が起こらない。
【０００９】
図４に本考案の接続管の立体図を示す。この図に示すように、本考案の接続管４０１は前述の液圧・気圧装置５０の主管路上に組み込むために用いられ、接続管４０１の二端に螺合端４０１１及び接続端４０１２がそれぞれ設けられ、且つ、接続端４０１２は液圧・気圧装置５０の型式に対応するよう設け（ネジ、クイックコネクタ、挿入接続等）、主管路上に速やかに接続可能にし、また、前記螺合端４０１１の内側に当接部４０１３が形成され、且つ、当接部４０１３の形状は前述の分配体４０３の外形に対応させて逆錐状を呈するものとする。
【００１０】
図５に本考案のキャップの立体図を示す。この図に示すように、本考案のキャップ４０２は内面に前記接続管４０１の螺合端４０１１に対応する相対螺合部４０２１が設けられ、且つ、その中央部に開孔４０２２が開設され、前述の分配体４０３の分配管４０３２が穿出され、開孔４０２２の端縁部に前述の接続管４０１の当接部４０１３に対応する相対当接部４０２３が形成され、キャップ４０２と接続管４０１を相互に組み込み一体とすることができ、その内部に分配体４０３を収容する収容空間が形成され、且つ、キャップ４０２と接続管４０１を組み立てるとき、螺合端４０１１と相対螺合部４０２１上のねじ山が相互に螺合され、螺合をきつくすればするほど、相対当接部と当接部間の距離が近づき、分配体を固定する力がより強くなる。
【００１１】
図６に本考案の分配体の立体図を示す。この図に示すように、本考案の分配体４０３は中央部に複数の分配接続孔４０３１が形成され、且つ、複数本の分配管４０３２が接続される。分配体４０３の二端はそれぞれ錐状を呈し、前述の接続管４０１とキャップ４０２が形成する収容空間内に設置され、分配体４０３の錐状表面がそれぞれ接続管４０１の当接部４０１３及びキャップ４０２の相対当接部４０２３上に当接され、気密の目的を達成し、液圧、気圧動力が分配時に外部に漏れ出るのを防ぐことができる。
【００１２】
図７に本考案の組み立て後の断面図を示す。この図に示すように、接続管４０１、キャップ４０２及び分配体４０３を組み立て分配コネクタ４０が形成される。そのうち、分配体４０３がキャップ４０２に設置された後、さらに接続管４０１の螺合端４０１１とキャップ４０２の相対螺合部４０２１が螺合されて一体を成し、且つ、分配体４０３の分配管４０３２がキャップ４０２の開孔４０２２から穿出され、接続管４０１とキャップ４０２の螺合をきつくすればするほど、接続端４０１２の当接部４０１３とキャップ４０２の相対当接部４０２３がより接近し、接続管４０１の当接部４０１３とキャップ４０２の相対当接部４０２３がそれぞれ分配体４０３二端の錐面上に押し当てられるため、分配体４０３を固定することができ、且つ、きつく螺合すればするほどその固定力が大きくなり、完全な気密が得られる。これにより、前述の液圧・気圧装置５０が送り出す液圧、気圧動力が分配コネクタ４０を通過し平均的に複数の分配管４０３２内に分配される。
【００１３】
上述のように、本考案の実施により、液圧・気圧装置の液圧動力または気圧動力を迅速に複数本の分配管に分配し、複数の設備に使用したり、集中させて単一の設備に使用することができ、伝導面積が増大されることで効率が相対的に向上される。また本考案の分配コネクタは迅速かつ便利に設置することができ、且つ、各分配管内の圧力を均一にし、管の破裂を防ぐという目的を達成することができる。
【００１４】
以上で述べた説明は、本考案の最良の実施例に基づくものであり、本考案の実施の範囲を制限するものではなく、関連技術に詳しい人物による本考案の要旨と範囲を逸脱しないあらゆる変化や修飾はすべて本考案の特許の範囲内に含まれるものとみなす。
【００１５】
上述のように、本考案の液圧・気圧装置の分配コネクタは、構造が簡単で、迅速かつ便利に液圧・気圧装置上に設置することができ、且つ、各分配管を接続後、圧力を均一にし、管の破裂を防ぐことができ、創作の実用性と進歩性を備えているため、出願人は特許法の規定に基づき、ここに実用新案登録を出願するものである。
【図面の簡単な説明】
【００１６】
【図１】従来のチューブコネクタの立体分解図である。
【図２】従来の液圧・気圧装置に複数の分配接続を施した状態の立体図である。
【図３】本考案の使用時の状態の立体斜視図である。
【図４】本考案の接続管の立体図である。
【図５】本考案のキャップの立体図である。
【図６】本考案の分配体の立体図である。
【図７】本考案の組み立て後の断面図である。
【符号の説明】
【００１７】
１０        チューブコネクタ
１０１     管体
１０１１   パッキンリング
１０１２   挿入孔
１０１３   陥没孔
１０２     挿入部材
１０２１   噛合せ部
１０２２   フランジ
１０２３   突起
２０        パイプ
３０        液圧・気圧装置
３０１     出口端
３０２     接続管
４０        分配コネクタ
４０１     接続管
４０１１   螺合端
４０１２   接続端
４０１３   当接部
４０２     キャップ
４０２１   相対螺合部
４０２２   開孔
４０２３   相対当接部
４０３     分配体
４０３１   分配接続孔
４０３２   分配管
５０        液圧・気圧装置
６０        設備
【図１】
0003126773.tif 000003
【図２】
0003126773.tif 000004
【図３】
0003126773.tif 000005
【図４】
0003126773.tif 000006
【図５】
0003126773.tif 000007
【図６】
0003126773.tif 000008
【図７】
0003126773.tif 000009